(57)【要約】【課題】  外部画像表示装置の機器情報を直接取得しユーザの画像調整を軽減する画像信号処理装置および画像処理方法を提供する。【解決手段】  画像信号処理を施した画像情報を外部画像表示装置に表示するためにこの外部画像表示装置との間で通信する通信手段と、画像信号処理用の画像調整用パラメータテーブルを保持する保持手段と、前記外部画像表示装置の画像信号処理に応じた画質調整に用いる画像調整用パラメータテーブルより所望の画像調整用パラメータを取得する取得手段と、取得した画像調整用パラメータに基づき画像信号処理のパラメータを補正することにより前記外部画像表示装置の画質および特性に適合する画像信号処理を行う補正手段とを備えたことを特徴とする画像信号処理装置。【選択図】      図２
2009180834.tif 000002
【特許請求の範囲】
【請求項１】
撮像素子より取得した撮像画像に対し画像信号処理をする画像信号処理機能を持ち、画像信号処理を施した画像情報を表示部に表示すると共に、画像情報を記録媒体に記録する機能を持ち、再生部では画像情報を再生する機能を持った画像信号処理装置において、
画像信号処理を施した画像情報を外部画像表示装置に表示するためにこの外部画像表示装置との間で通信する通信手段と、
画像信号処理用の画像調整用パラメータテーブルを保持する保持手段と、
前記外部画像表示装置の画像信号処理に応じた画質調整に用いる画像調整用パラメータテーブルより所望の画像調整用パラメータを取得する取得手段と、
取得した画像調整用パラメータに基づき画像信号処理のパラメータを補正することにより前記外部画像表示装置の画質および特性に適合する画像信号処理を行う補正手段とを
備えたことを特徴とする画像信号処理装置。
【請求項２】
前記画像調整用パラメータテーブルは更新手段として、着脱式の他の記録媒体からの更新、外部通信手段を用いての更新、外部画像表示装置との通信による更新、のいずれか一つを選択可能であるように構成されていることを特徴とする請求項１に記載の画像信号処理装置。
【請求項３】
前記画像調整用パラメータテーブルは、外部画像表示装置から得られる外部画像表示装置の属性情報に適合するように調整された画像調整用パラメータより構成されていることを特徴とする請求項１に記載の画像信号処理装置。
【請求項４】
撮像素子より取得した撮像画像に対し画像信号処理をする画像信号処理機能を持ち、画像信号処理を施した画像情報を表示部に表示すると共に、画像情報を記録媒体に記録する機能を持ち、再生部では画像情報を再生する機能を持った画像信号処理装置における画像処理方法であって、
画像信号処理を施した画像情報を外部画像表示装置に表示するためにこの外部画像表示装置との間で通信し、
画像信号処理用の画像調整用パラメータテーブルを保持し、
前記外部画像表示装置の画像信号処理に応じた画質調整に用いる画像調整用パラメータテーブルより所望の画像調整用パラメータを取得し、
取得した画像調整用パラメータに基づき画像信号処理のパラメータを補正することにより前記外部画像表示装置の画質および特性に適合する画像信号処理を行うことを特徴とする画像処理方法。
【発明の詳細な説明】
【技術分野】
【０００１】
本発明は、画像信号処理装置における画像処理方法に係わり、特に画像信号処理装置において画像信号処理を施した画像情報を外部画像表示装置に表示するための技術に関する。
【背景技術】
【０００２】
従来から、テレビモニタなどの画像表示装置に接続可能な画像信号処理機器であって、画像表示装置の画面の大きさ、アスペクト比、γ特性、解像度、色合い、対応画像フォーマット等の表示性能の情報を画像表示装置内のメモリやインターネット上のサーバーから通信によって取得し、この情報に基づいて画像処理のパラメータを設定して表示装置に好適な画質に補正しカメラ信号の出力や記録、再生を行う画像・映像記録再生装置や画像処理装置、方法が知られている。
【０００３】
例えば特許文献１に記載のものは、概要として画像信号処理装置において、外部の画像表示装置との間で通信を行い、画像表示装置の表示性能に関する情報を取得し、取得した表示性能に応じて画像信号処理のパラメータを補正して、表紙装置の特性に適した画像補正を行なうというものである。この例では、画像表示性能（画面サイズ、アスペクト比、γ特性等）を画像表示装置内のメモリやインターネット上のサーバーから通信によって取得し、これら情報に基づいて画像処理のパラメータを最適に設定すると述べていて、即ち機器情報（メーカ名、機種名等）を画像表示装置本体との通信によって取得するというより利便性の高い技術は開示されていない。
【０００４】
また特許文献２に記載のものは、外部画像装置より調整用画像パターンをユーザが選択、選択された調整用画像パターンを用いて画像補正を行うというものである。よって画像処理パラメータ等に精通していないユーザが容易に画像調整パラメータを調整できるものではないという問題があった。
【特許文献１】特開２００７−５７５９９号公報
【特許文献２】特開２００７−８１６８５号公報
【発明の開示】
【発明が解決しようとする課題】
【０００５】
本発明は、外部画像表示装置の機器情報を直接取得しユーザの画像調整を軽減する画像信号処理装置および画像処理方法を提供することを目的とする。
【課題を解決するための手段】
【０００６】
上記課題を解決するために、本発明の画像信号処理装置は、撮像素子より取得した撮像画像に対し画像信号処理をする画像信号処理機能を持ち、画像信号処理を施した画像情報を表示部に表示すると共に、画像情報を記録媒体に記録する機能を持ち、再生部では画像情報を再生する機能を持った画像信号処理装置であって、画像信号処理を施した画像情報を外部画像表示装置に表示するためにこの外部画像表示装置との間で通信する通信手段と、画像信号処理用の画像調整用パラメータテーブルを保持する保持手段と、前記外部画像表示装置の画像信号処理に応じた画質調整に用いる画像調整用パラメータテーブルより所望の画像調整用パラメータを取得する取得手段と、取得した画像調整用パラメータに基づき画像信号処理のパラメータを補正することにより前記外部画像表示装置の画質および特性に適合する画像信号処理を行う補正手段とを備えたことを特徴とする。
【発明の効果】
【０００７】
本発明によれば、外部画像表示装置の機器情報を直接取得しユーザの画像調整を軽減する画像信号処理装置および画像処理方法が得られる。
【発明を実施するための最良の形態】
【０００８】
以下、本発明の実施形態を説明する。
【実施例１】
【０００９】
本発明による実施形態１を図１乃至図３を参照して説明する。図１は、この発明の一実施形態を示す画像信号処理装置100等のブロック構成図である。
画像信号出力I/F制御部105は外部画像表示装置109と接続されると、画像信号出力I/F制御部105は外部画像表示装置109の属性情報を取得(外部表示装置の属性情報取得（ステップＳ２０１）)する。HDMIを例に挙げると、EDID情報等の属性情報である。
【００１０】
つぎに、画像信号処理部103内の図3に示す画像処理用パラメータテーブルより、前記取得した属性情報に適合する画像処理用パラメータがあるかどうか同図3画像処理用パラメータテーブル内を探索する(属性情報に対応する画像調整用パラメータがテーブル内にある？（ステップＳ２０２）)。
【００１１】
図3の画像処理用パラメータテーブル内に適合する画像調整用パラメータが存在すれば（ステップＳ２０２のＹＥＳ）、図３の画像処理用パラメータテーブルより所望の画像処理用パラメータを抽出する(画像調整用パラメータテーブルより画像調整用パラメータ抽出（ステップＳ２０３）)。―ケース１
【００１２】
図3の画像処理用パラメータテーブル内に適合する画像調整用パラメータが存在しなければ、画像処理用パラメータは使用されない（ステップＳ２０２のＮＯ）。―ケース2
【００１３】
（ケース1の場合）
所望の画像処理用パラメータに基づき画像信号処理部103で画像信号補正処理が行われ(画像補正処理実施（ステップＳ２０４）)、画像信号出力I/F制御部105を経て、外部画像表示装置109へと画像情報が出力される(外部画像表示装置へ画像出力（ステップＳ２０５）)。
【００１４】
（ケース2の場合）
画像信号処理部103にて、既定(デフォルト)の画像信号補正処理が行われ(画像補正処理実施（ステップＳ２０４）)、画像信号出力I/F制御部105を経て、外部画像表示装置109へと画像情報が出力される(外部画像表示装置へ画像出力（ステップＳ２０５）)。
【００１５】
図3の画像処理用パラメータテーブルは、外部I/F制御部110を介してＳＤカードなどから、もしくは外部画像表示装置109の通信による更新ができる。
ここでHDMI（High-Definition Multimedia Interface）について補足する。機器間認証はEDID（Extended Display Identification Data）、系全体の制御系接続はCECが採用されている。EDIDはディスプレイの基本情報やベンダー情報の他、最大解像度やカラー特性などの情報を含む。またCECは、ＩＩＣ（I2C）の技術をベースにしている。
【００１６】
図４は、ＩＩＣインタフェースを説明するための図である。ＩＩＣインタフェースのバスは、マスタデバイスから出力されるプルアップされたクロックと、マスタデバイスとスレーブデバイスとの双方向通信を行うデータとの２本の通信線から成り立っている。
【００１７】
図４（ａ）は、スレーブアドレスの構成例を示したものである。スレーブアドレスは8 ビット長で、上位4 ビットはデバイスの種類に応じて固定的に決まっている。また下位1 ビットは0 のとき書き込みで、1 のとき読み込みを表す。したがってスレーブアドレスで実際上使えるのはビット1 から3 までになる。
【００１８】
図４（ｂ）は２線のタイミングの概略図であり、上側のようにデータ線がＬＯＷになることによってＳｔａｒｔとなり、上位ビットから以下データが送られていき、データ線がＨＩＧＨになることによってＳｔｏｐ状態となる。対応するクロック線のタイミングは下側のようである。図４（ｂ）は１バイト転送の例であるが、データとＡＣＫをＳｔｏｐ状態までに複数繰り返せば、最初のバイトはスレーブアドレスだが残りのバイトは通信内容とすることができる。
【００１９】
上記実施形態において、外部画像表示装置の属性情報より画像調整パラメータを抽出し画像補正することにより、画像処理パラメータによる画質調整に精通していないユーザでも容易に外部表示装置へ適応した最適な画像処理を行える。
【００２０】
画像表示の機器情報（メーカ名、機種名等）を画像表示装置本体との通信により取得、あらかじめ用意されている画像表示機器に対応した画像処理パラメータを画像表示装置内のメモリやインターネット上のサーバーにある画像処理パラメータテーブルより取得し、所望の最適な画像処理を施す。よってメリットにおいては、あらかじめ用意されている画像機器に対応した画像処理パラメータを用いることによって、各社独自に画像表示装置内部で行っている絵作り（画像表示性能情報として取得できない画像処理および補正）を考慮した最適な画像処理を施すことができる。
【００２１】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２２】
【図１】この発明の一実施形態を示すブロック構成図。
【図２】同実施形態の画像処理のフローチャート。
【図３】同実施形態の画像調整用パラメータテーブルの例。
【図４】同実施形態のＩＩＣインタフェースを説明するための図。
【符号の説明】
【００２３】
100…画像信号処理装置、103…画像信号処理部、104…CPU、105…画像信号出力I/F制御部、109…外部画像表示装置、110…外部I/F制御部。
【図１】
2009180834.tif 000003
【図２】
2009180834.tif 000004
【図３】
2009180834.tif 000005
【図４】
2009180834.tif 000006